(57)【特許請求の範囲】
【請求項１】
型開き時に鋳造製品をキャビティの壁面から押出す押出しピンを備えたダイカスト金型において、押出しピン先端が前記鋳造製品と可動入子の両方に当たるよう弾性体の弾性力により前記鋳造製品の方向に押圧された押出しピンを備え、該押出しピンは型締め時に前記押出しピン先端を前記キャビティの壁面と同一平面まで移動させるリターンピンの機能を兼備したダイカスト金型。
【請求項２】
型開き時に鋳造製品をキャビティの壁面から押出す押出しピンを備えたダイカスト金型において、押出しピン先端が前記鋳造製品と可動入子の両方に当たるよう油圧により前記鋳造製品の方向に押圧された押出しピンを備え、該押出しピンは型締め時に前記押出しピン先端を前記キャビティの壁面と同一平面まで移動させるリターンピンの機能を兼備したダイカスト金型。
【請求項３】
型開き時に鋳造製品をキャビティの壁面から押出す押出しピンを備えたダイカスト金型において、押出しピン先端が前記鋳造製品と可動入子の両方に当たるよう空気圧により前記鋳造製品の方向に押圧された押出しピンを備え、該押出しピンは型締め時に前記押出しピン先端を前記キャビティの壁面と同一平面まで移動させるリターンピンの機能を兼備したダイカスト金型。
【請求項４】
請求項１〜３のいずれかのダイカスト金型において、前記押出しピンは、型開き時に鋳造製品のフランジ部を押出すダイカスト金型。
【発明の詳細な説明】
【０００１】
【発明の属する技術分野】
本発明は、型開き時に鋳造製品をキャビティの壁面から押出すための押出しピンと、型締め時にその押出しピンをキャビティの壁面まで戻すリターンピンを備えたダイカスト金型に関する。
【０００２】
【従来の技術】
従来の技術が特開平７−１６４１２７号公報に開示されている。その構造を図６に基づき説明する。ダイカスト金型２０は、固定入子２２ｊが装着された固定主型２２と、可動入子２３ｊが装着された可動主型２３を備えている。可動入子２３ｊおよび可動主型２３が固定入子２２ｊおよび固定主型２２の方に移動して型締めが行われると、ダイカスト金型２０の内部にキャビティ３０が形成される。そして、固定主型２２に設けられたスリーブ２６から溶湯が（図示されていない）溶湯通路を通ってキャビティ３０に注入される。
【０００３】
固定主型２２の内部の固定入子２２ｊの近傍には、空室３２が設けられている。この空室３２には、押出し専用ピン２４ｐと鋳抜きピン２４ｎが取り付けられたピン受け４２が収納されている。ここで、押出し専用ピン２４ｐは、型開き時、貫通孔３１を通って固定入子２２ｊから鋳造製品を押出すためのピンであり、鋳抜きピン２４ｎは、鋳造製品に貫通孔を成形するためのピンである。空室３２は、プレート２１により蓋をされており、そのプレート２１とピン受け４２との間には、ピン受け４２をプレート２１から離す方向に付勢されたばね材２４ｂが装着されている。押出し棒２７は、可動主型２３および可動入子２３ｊ内に装着されており、型開き時、可動入子２３ｊに張り付いた鋳造製品を突き離す棒である。
【０００４】
次に、従来の技術の動作を説明する。型締めが始まると、可動主型２３が固定主型２２に接近する。可動入子２３ｊのキャビティ３０の壁面に当たっている鋳抜きピン２４ｎは、ばね材２４ｂの弾性力（ばね反力）に抗して、固定主型２２の方向に移動する。型締めが終了し、可動入子２３ｊが固定入子２２ｊに当接すると、鋳抜きピン２４ｎの移動は終了する。その結果、鋳抜きピン２４ｎは、固定入子２２ｊのキャビティ３０の壁面まで戻され停止する。このとき、鋳抜きピン２４ｎとピン受け４２を介して連結されている押出し専用ピン２４ｐも同じストロークだけ固定主型２２の方向に移動し、固定入子２２ｊのキャビティ３０の壁面と同一面の位置まで戻って停止する。すなわち、鋳抜きピン２４ｎは型締め時に押出し専用ピン２４ｐをキャビティ３０の壁面の位置まで戻すリターンピンとしての働きをする。
【０００５】
次に、溶湯がスリーブ２６、（図示のない）溶湯通路を通ってキャビティ３０に圧入され鋳造が行われる。鋳造後の型開き時に、可動主型２３が固定主型２２から離れると、可動入子２３ｊのキャビティ３０の壁面に押圧させられていた鋳抜きピン２４ｎは、ばね材２４ｂの弾性力を受け、所定長さだけ可動入子２３ｊのキャビティ３０の壁面に当接しながら可動主型２３の方向に向かって移動する。このとき、ピン受け４２を介して鋳抜きピン２４ｎに連結されている押出し専用ピン２４ｐも前記所定長さだけ可動入子２３ｊの方向に移動する。これによって、押出し専用ピン２４ｐは、固定入子２２ｊのキャビティ３０の壁面から突出し、固定入子２２ｊに張り付こうとしていた鋳造製品を突き離す。
【０００６】
【発明が解決しようとする課題】
ところが、上記の従来の技術によれば、型開き時に鋳造製品を固定入子２２ｊのキャビティの壁面から押出す押出し専用ピンとは別に、型締め時にその押出し専用ピンの先端を固定入子２２ｊのキャビティの壁面の位置まで戻すリターンピンの機能を果たすピン（上記の従来の技術の場合は、鋳抜きピンが該当する）が必要である。その結果、２つのピンを収容するためのスペースが必要になり、金型が大きくなるという問題がある。
【０００７】
本発明は、上記の問題を解決するため、押出しピンの先端が鋳造製品と可動入子の両方に当たるよう構成された押出しピンを備えたダイカスト金型を提供し、押出しピンにリターンピンの機能を兼備させるようにしたことを目的にしたものである。
【０００８】
【課題を解決するための手段】
前述の目的を達成するために、請求項１の発明は、型開き時に鋳造製品をキャビティの壁面から押出す押出しピンを備えたダイカスト金型において、押出しピン先端が前記鋳造製品と可動入子の両方に当たるよう弾性体の弾性力により前記鋳造製品の方向に押圧された押出しピンを備え、該押出しピンは型締め時に前記押出しピン先端を前記キャビティの壁面と同一平面まで移動させるリターンピンの機能を兼備したダイカスト金型である。
【０００９】
さらに前述の目的を達成するために、請求項２の発明は、型開き時に鋳造製品をキャビティの壁面から押出す押出しピンを備えたダイカスト金型において、押出しピン先端が前記鋳造製品と可動入子の両方に当たるよう油圧により前記鋳造製品の方向に押圧された押出しピンを備え、該押出しピンは型締め時に前記押出しピン先端を前記キャビティの壁面と同一平面まで移動させるリターンピンの機能を兼備したダイカスト金型である。
【００１０】
さらに前述の目的を達成するために、請求項３の発明は、型開き時に鋳造製品をキャビティの壁面から押出す押出しピンを備えたダイカスト金型において、押出しピン先端が前記鋳造製品と可動入子の両方に当たるよう空気圧により前記鋳造製品の方向に押圧された押出しピンを備え、該押出しピンは型締め時に前記押出しピン先端を前記キャビティの壁面と同一平面まで移動させるリターンピンの機能を兼備したダイカスト金型である。
【００１１】
さらに前述の目的を達成するために、請求項４の発明は、請求項１〜３のいずれかのダイカスト金型において、前記押出しピンは、型開き時に鋳造製品のフランジ部を押出すダイカスト金型である。
【００１２】
【発明の実施の形態】
本発明の第１実施形態を図に基づき説明する。図１に示すように、本実施形態のダイカスト金型２０は、固定入子２２ｊが装着された固定主型２２と、可動入子２３ｊが装着された可動主型２３を備えている。可動入子２３ｊおよび可動主型２３が固定入子２２ｊおよび固定主型２２の方に移動して型締めが行われると、ダイカスト金型２０の内部にキャビティ３０が形成される。そして、固定主型２２に設けられたスリーブ２６から溶湯が（図示されていない）溶湯通路を通ってキャビティ３０に注入される。鋳造後の型開き時に、凝固収縮により固定入子２２ｊに張り付こうとする鋳造製品２５を押出すための押出しピン２４が固定入子２２ｊの内部に装着されている。
【００１３】
型開き後、可動入子２３ｊに張り付いた鋳造製品を突き離すための従来の押出し棒２７が可動主型２３および可動入子２３ｊ内に装着されている。
【００１４】
図２により押出しピン２４および関連技術について詳細に説明する。図２は、図１のダイカスト金型の要部の拡大断面図である。固定入子２２ｊの内部には、貫通孔３１とこの貫通孔３１に連通する空室３２が設けられている。貫通孔３１とそれに連通する空室３２には、押出しピン２４が嵌挿されている。押出しピン２４は、貫通孔３１に摺動自在に嵌挿されている棒状の押出しピン頭部２４ｈと、空室３２の内面に摺動自在に嵌挿されている円盤状の押出しピン胴部２４ｂと、固定主型２２に接して空室３２の蓋の役目をするプレート２１の内部の穴に摺動自在に嵌挿されている棒状の押出しピン脚部２４ｆとから構成されている。
【００１５】
押出しピン２４は、押出しピン頭部２４ｈと、押出しピン胴部２４ｂと、押出しピン脚部２４ｆとを一体なものとして成形してもよいし、一部が別体のものを１つに結合してもよい。
【００１６】
変形例として、押出しピン２４は、押出しピン頭部２４ｈと、押出しピン胴部２４ｂから構成し、一体なものとして成形してもよいし、各部が別体のものを１つに結合してもよい。
【００１７】
変形例として、押出しピン２４を固定主型２２および固定入子２２ｊの内部に装着してもよい。すなわち、固定入子２２ｊの内部には、貫通孔３１が設けられ、固定主型２２には、貫通孔３１に連通する空室３２が設けられている。貫通孔３１とそれに連通する空室３２には、押出しピン２４が嵌挿されている。空室３２の蓋の役目をするプレート２１が固定主型２２に設けられている。
【００１８】
変形例として、貫通孔３１、空室３２またはプレート２１の各軸方向内面にブッシュを嵌入し、押出しピン４が摩擦抵抗の少ない摺動ができるようにしてもよい。
【００１９】
押出しピン２４は、押出しピン胴部２４ｂとプレート２１との間に配置されたばね３３の弾性力（ばね反力）により、キャビティ３０の方向（軸方向）に押圧される。ばね３３としては、皿ばね、コイルスプリング、ゴム材など弾性力を発生する弾性体であれば利用することができる。
【００２０】
押出しピン頭部２４ｈの押出しピン先端２４ｔは、軸方向に直角な平坦面を有している。可動入子２３ｊが押出しピン先端２４ｔに当たり押圧すると、押出しピン先端２４ｔは、固定入子２２ｊのキャビティ３０の壁面と同一平面まで移動し停止する。このとき、押出しピン先端２４ｔは、見掛け上、キャビティ３０の壁面の一部を構成する。図２は、この状況を説明したもので、押出しピン先端２４ｔの一部（鋳造製品２５が当たっていない面）に、可動入子２３ｊが押圧した場合の様子を示す。このように、押出しピン先端２４ｔの一部に、可動入子２３ｊが押圧すると、押出しピン２４は、ばね３３の弾性力（ばね反力）に抗して軸方向に移動し、前述の如く、押出しピン先端２４ｔを固定入子２２ｊのキャビティ３０の壁面と同一平面まで移動させ停止させる。
【００２１】
図３を説明する。図３は、可動入子２３ｊが固定入子２２ｊから離れてしまい、ばね３３の弾性力（ばね力）により押出しピン２４が軸方向に移動し、その結果、押出しピン先端２４ｔの一部が鋳造製品２５を固定入子２２ｊから押出した様子を示す。
【００２２】
図４は、図２の可動入子２３ｊのないときのＡ視の図を示す。図４は、押出しピン先端２４ｔが鋳造製品２５に当たる斜線部２４ｔ１と、可動入子２３ｊに当たる格子部２４ｔ２の両方を有している様子を示す。押出しピン先端２４ｔが鋳造製品２５に当たる斜線部２４ｔ１と、可動入子２３ｊに当たる格子部２４ｔ２の両方を有していればよく、それ以外の面を有していてもよい。
【００２３】
押出しピン先端２４ｔは、図４のように丸型でもよいし、四角形などの多角形でもよい。押出しピン先端２４ｔは、固定入子２２ｊのキャビティ３０の壁面と同一平面を構成するよう平坦な面であればよい。
【００２４】
本発明の実施形態の動作を説明する。図２を参照して、型締め時を説明する。型締め時、可動主型２３および可動主型２３に装着された可動入子２３ｊが固定主型２２に向かって軸方向に移動すると、可動入子２３ｊに押出しピン先端２４ｔの一部が当たるので、ばね３３の弾性力（ばね力）に抗して押出しピン２４を固定主型２２の方向に押し戻し、押出しピン先端２４ｔが固定入子２２ｊのキャビティ３０の壁面と同一平面のところまで移動して停止する。この動作の結果、押出しピン先端２４ｔが停止した状態を図２に示す。このときの押出しピン２４は、型締め時に押出しピン２４をキャビティ３０の壁面の位置まで戻すリターンピンとしての働きをする。
【００２５】
（図１に示すように）溶湯がスリーブ２６、（図示のない）溶湯通路を通ってキャビティ３０に圧入され鋳造が行われた後、型開きが行われる。図３に示すように、型開き時に、可動主型２３が固定主型２２から離れると、可動入子２３ｊに押出しピン先端２４ｔの一部を押圧させられていた押出しピン２４は、ばね３３の弾性力（ばね力）を受け、所定長さだけ軸方向に向かって移動する。このとき、押出しピン２４は、固定入子２２ｊのキャビティ３０の壁面から突出し、鋳造製品２５を押し、凝固収縮し固定入子２２ｊに張り付こうとしていた鋳造製品２５を押出すことができる。押出しピン２４が押出す鋳造製品の部位としては、鋳造製品の損傷の少ないフランジ部が望ましい。
【００２６】
以上説明した実施形態のダイカスト金型は、押出しピン２４にリターンピンの機能を兼備させるようにしたので、押出しとリターンの２つの機能を１つのピンで遂行することができ、ピンおよびその付属品が少なくなり、ダイカスト金型をコンパクトにすることができるという優れた効果を有する。また、スペース面で余裕ができるので、ダイカスト金型内部の冷却装置の配置設計が自由にできるという優れた効果を有する。
【００２７】
次に、図５により、本発明の変形例として第２の実施形態を説明する。図１、図２と同様なところは説明を省略し、図１、図２の実施形態と異なるところを中心に説明する。押出しピン２４は、押出しピン頭部２４ｈと、押出しピン胴部２４ｂから構成されている。シリンダ２８は、押出しピン胴部２４ｂを境にして、押出しピン頭部２４ｈのある方に左室３５が形成されており、反対側には右室３６が形成されている。押出しピン胴部２４ｂには、左室３５と右室３６を連通する（図示のない）オリフィスが設けられている。シリンダ２８の油圧が漏れないように、シリンダ２８の周りの固定主型２２と固定入子２２Ｊとの接合面にＯリングが埋設されている。
【００２８】
右室３６から油圧管が配管され、チェックバルブ３８、ポンプ３７につながっている。さらに右室３６から別の油圧管が配管され、調圧弁３９、チェックバルブ４０を介してタンク４１につながっている。
【００２９】
以下に、上記の実施形態の動作を説明する。型締め時、（図示のない）可動主型２３および可動主型２３に装着された（図示のない）可動入子２３ｊが固定主型２２に向かって軸方向に移動すると、可動入子２３ｊに押出しピン先端２４ｔの一部が当たるようになっている。可動入子２３ｊが押出しピン先端２４ｔの一部に当たり、押出しピン２４を軸方向に押圧すると、右室３６の油圧は所定圧以上で開弁する調圧弁３９、チェックバルブ４０を介してタンク４１にドレインし、押出しピン２４は固定主型２２の方向に移動し、押出しピン先端２４ｔが固定入子２２ｊのキャビティ３０の壁面と同一平面まで移動し停止する。このときの押出しピン２４は、型締め時に押出しピン２４をキャビティ３０の壁面の位置まで戻すリターンピンとしての働きをする。
【００３０】
次に、鋳造後の型開き時に、可動主型２３が固定主型２２から離れる少し前から、ポンプ３７の油圧をチェックバルブ３８を介して右室３６にかける。油圧が係った状態で、可動主型２３が固定主型２２から離れると、可動入子２３ｊに押出しピン先端２４ｔの一部を押圧させられていた押出しピン２４は、所定長さだけ軸方向に沿って可動主型２３に向かって移動する。このとき、押出しピン２４は、固定入子２２ｊのキャビティ３０の壁面から突出し、凝固収縮して固定入子２２ｊに張り付こうとしていた鋳造製品２５を押出すことができる。
【００３１】
上記構成のダイカスト金型は、応答性がよいという優れた効果を有する。
【００３２】
図５に示す本発明の変形例として油圧制御装置に代えて、空気圧制御装置を利用したものがある。空気圧制御装置を利用した実施形態は、図５の油圧回路の油圧機器をすべて空気圧機器に代えることにより実現することができる。
【００３３】
上記のダイカスト金型は、安価であるという優れた効果を有する。
【００３４】
【発明の効果】
前述の目的を達成するために、請求項１の発明は、型開き時に鋳造製品をキャビティの壁面から押出す押出しピンを備えたダイカスト金型において、押出しピン先端が前記鋳造製品と可動入子の両方に当たるよう弾性体の弾性力により前記鋳造製品の方向に押圧された押出しピンを備え、該押出しピンは型締め時に前記押出しピン先端を前記キャビティの壁面と同一平面まで移動させるリターンピンの機能を兼備したダイカスト金型である。
【００３５】
このような構成のダイカスト金型は、押出しピンにリターンピンの機能を兼備させるようにしたので、押出しとリターンの２つの機能を１つのピンで遂行することができ、ピンおよびその付属品が少なくなり、ダイカスト金型をコンパクトにすることができるという優れた効果を有する。また、スペース面で余裕ができるので、ダイカスト金型内部の冷却装置の配置設計が自由にできるという優れた効果を有する。さらに、簡単でかつ実現性の高いダイカスト金型を提供できるという優れた効果を有する。
【００３６】
さらに前述の目的を達成するために、請求項２の発明は、型開き時に鋳造製品をキャビティの壁面から押出す押出しピンを備えたダイカスト金型において、押出しピン先端が前記鋳造製品と可動入子の両方に当たるよう油圧により前記鋳造製品の方向に押圧された押出しピンを備え、該押出しピンは型締め時に前記押出しピン先端を前記キャビティの壁面と同一平面まで移動させるリターンピンの機能を兼備したダイカスト金型である。
【００３７】
このような構成のダイカスト金型は、押出しピンにリターンピンの機能を兼備させるようにしたので、押出しとリターンの２つの機能を１つのピンで遂行することができ、ピンおよびその付属品が少なくなり、ダイカスト金型をコンパクトにすることができるという優れた効果を有する。また、スペース面で余裕ができるので、ダイカスト金型内部の冷却装置の配置設計が自由にできるという優れた効果を有する。さらに、応答性のよいダイカスト金型を提供できるという優れた効果を有する。
【００３８】
さらに前述の目的を達成するために、請求項３の発明は、型開き時に鋳造製品をキャビティの壁面から押出す押出しピンを備えたダイカスト金型において、押出しピン先端が前記鋳造製品と可動入子の両方に当たるよう空気圧により前記鋳造製品の方向に押圧された押出しピンを備え、該押出しピンは型締め時に前記押出しピン先端を前記キャビティの壁面と同一平面まで移動させるリターンピンの機能を兼備したダイカスト金型である。
【００３９】
このような構成のダイカスト金型は、押出しピンにリターンピンの機能を兼備させるようにしたので、押出しとリターンの２つの機能を１つのピンで遂行することができ、ピンおよびその付属品が少なくなり、ダイカスト金型をコンパクトにすることができるという優れた効果を有する。また、スペース面で余裕ができるので、ダイカスト金型内部の冷却装置の配置設計が自由にできるという優れた効果を有する。さらに、安価なダイカスト金型を提供できるという優れた効果を有する。
【００４０】
さらに前述の目的を達成するために、請求項４の発明は、請求項１〜３のいずれかのダイカスト金型において、前記押出しピンは、型開き時に鋳造製品のフランジ部を押出すダイカスト金型である。
【００４１】
このような構成のダイカスト金型は、上記効果に加えて、凝固収縮して固定入子に張り付こうとしていた鋳造製品を損傷させることなく押出すことができる。
【図面の簡単な説明】
【図１】本発明の第１実施形態である型締め時のダイカスト金型の断面図を示す。
【図２】図１のダイカスト金型の要部の拡大断面図を示す。
【図３】図１のダイカスト金型の要部の型開き時の拡大断面図を示す。
【図４】図２のＡ視の図を示す。
【図５】本発明の第２実施形態のダイカスト金型の断面図と油圧回路を示す。
【図６】従来の技術の型締め時のダイカスト金型の断面図を示す。
【符号の説明】
２０……ダイカスト金型、
２１……プレート、
２２……固定主型、
２２ｊ……固定入子、
２３……可動主型、
２３ｊ……可動入子、
２４……押出しピン、
２４ｔ……押出しピン先端、
２４ｔ１……押出しピン先端斜線部、
２４ｔ２……押出しピン先端格子部、
２４ｈ……押出しピン頭部、
２４ｂ……押出しピン胴部、
２４ｆ……押出しピン脚部、
２４ｐ……押出し専用ピン、
２４ｎ……鋳抜きピン、
２５……鋳造製品、
２６……スリーブ、
２７……押出し棒、
２８……シリンダ
３０……キャビティ、
３１……貫通孔、
３２……空室、
３３……ばね、
３４……Ｏリング、
３５……左室、
３６……右室、
３７……ポンプ、
３８……チェックバルブ、
３９……調圧弁、
４０……チェックバルブ、
４１……タンク、
４２……ピン受け
【図１】
0004006558.tif 000002
【図２】
0004006558.tif 000003
【図３】
0004006558.tif 000004
【図４】
0004006558.tif 000005
【図５】
0004006558.tif 000006
【図６】
0004006558.tif 000007